(57)【要約】【課題】使用後にリサイクルや再資源化が容易なお弁当やお惣菜等の食品の容器として使用される紙箱を提供することである。【解決手段】剛性を有する紙基材の一方の面に接着部を介して樹脂製シートを剥離可能に貼合した積層体で前記樹脂製シートが内側に位置するように形成された紙箱において、前記樹脂製シートが生分解性プラスチックからなり、前記接着部が前記紙箱の端縁に少なくとも形成されると共に前記端縁の少なくとも一部に未接着部を有していることを特徴とする紙箱。【選択図】　　　　図１
2004067192.tif 000002
【特許請求の範囲】
【請求項１】
剛性を有する紙基材の一方の面に接着部を介して樹脂製シートを剥離可能に貼合した積層体で前記樹脂製シートが内側に位置するように形成された紙箱において、前記樹脂製シートが生分解性プラスチックからなり、前記接着部が前記紙箱の端縁に少なくとも形成されると共に前記端縁の少なくとも一部に未接着部を有していることを特徴とする紙箱。
【請求項２】
前記生分解性プラスチックが接着性であることを特徴とする請求項１記載の紙箱。
【請求項３】
前記紙箱がウエッブコーナーボックスタイプ、四隅貼りボックスタイプ、紙絞りボックスタイプのいずれかの紙箱からなることを特徴とする請求項１、２のいずれかに記載の紙箱。
【請求項４】
前記紙箱がウエッブコーナーボックスタイプからなり、前記生分解性プラスチックが接着性からなる紙箱において、該紙箱はウエッブコーナー部において前記生分解性プラスチックの内面同士の少なくとも一部が接着されていることを特徴とする請求項１記載の紙箱。
【請求項５】
請求項１〜４のいずれかに記載の紙箱において、該紙箱の外側面ないし内側面のいずれかの面に廃棄方法が表示されていることを特徴とする紙箱。
【発明の詳細な説明】
【０００１】
【発明の属する技術分野】
本発明は、お弁当やお惣菜等の食品の容器として使用される紙箱に関し、さらに詳しくは、使用後にリサイクルや再資源化が容易な紙箱に関するものである。
【０００２】
【従来の技術】
近年になって、リサイクルや焼却ないし廃棄しやすいなどの環境保護の観点からお惣菜やお弁当等の食品の容器としてプラスチック製や金属製容器に代わって紙製トレーや紙の内面にポリエチレンやポリエステル等の樹脂層を備えた耐水性を有する紙製複合トレーなどの紙製容器が広く使用されるようになってきている。また、他方においては使用後の紙製容器の回収や再利用化が望まれている。
【０００３】
しかしながら、使用後の紙製トレーはそのままでは食品の残渣が付着しており、食品の残渣を取り除いたとしても紙として再生する際の負荷が大きいといった問題、あるいは、紙製複合トレーは樹脂層と紙とを分離することができないために食品の残渣を取り除いた後に一般ゴミとして廃棄しなければならないといった問題、また、紙と樹脂層とを分離することができれば、紙は再生することができるものの、樹脂層は食品の残渣が付着しており上記同様に食品の残渣を取り除いた後に一般ゴミとして廃棄しなければならないといった問題があった。さらにまた、上記した食品の残渣は、通常何等かの袋に入れて一般ゴミとして廃棄されているのが現状である。
【０００４】
【発明が解決しようとする課題】
そこで本発明は、使用後にリサイクルや再資源化が容易なお弁当やお惣菜等の食品の容器として使用される紙箱を提供することである。
【０００５】
【課題を解決するための手段】
本発明者は、上記課題を達成するために、請求項１記載の本発明は、剛性を有する紙基材の一方の面に接着部を介して樹脂製シートを剥離可能に貼合した積層体で前記樹脂製シートが内側に位置するように形成された紙箱において、前記樹脂製シートが生分解性プラスチックからなり、前記接着部が前記紙箱の端縁に少なくとも形成されると共に前記端縁の少なくとも一部に未接着部を有していることを特徴とするものである。このように構成することにより、前記未接着部を紙基材と樹脂製シートとの剥離開始端とすることができ、この部分から容易に樹脂製シートを紙基材から剥離して、紙基材と樹脂製シートを分離することができるために、食品等の残渣が付着していない紙基材は紙基材として容易に再生することができ、また、樹脂製シートは食品の残渣を取り除くことなく食品の残渣と一緒にコンポスト等に再資源化することができる。
【０００６】
また、請求項２記載の本発明は、請求項１記載の紙箱において、前記生分解性プラスチックが接着性であることを特徴とするものである。このように構成することにより、接着剤を用いることなく紙基材と樹脂製シート（生分解性プラスチックからなるシート）とを、たとえば、熱接着等の接着手段により貼合することができるために、紙基材の再生やコンポスト等の再資源化において一層容易な紙箱とすることができる。
【０００７】
また、請求項３記載の本発明は、請求項１、２のいずれかに記載の紙箱において、前記紙箱がウエッブコーナーボックスタイプ、四隅貼りボックスタイプ、紙絞りボックスタイプのいずれかの紙箱からなることを特徴とするものである。このように構成することにより、汁気のある食品を収納しても洩れることがない紙箱とすることができる。
【０００８】
また、請求項４記載の本発明は、請求項１記載の紙箱において、前記紙箱がウエッブコーナーボックスタイプからなり、前記生分解性プラスチックが接着性からなる紙箱において、該紙箱はウエッブコーナー部において前記生分解性プラスチックの内面同士の少なくとも一部が接着されていることを特徴とするものである。このように構成することにより、紙基材から樹脂製シート（生分解性プラスチックからなるシート）を剥離した際に紙箱の樹脂製シート（生分解性プラスチックからなるシート）が容器状に剥離されるために、食品等の残渣を樹脂製シート（生分解性プラスチックからなるシート）から零す危険性をより少なくすることができる。
【０００９】
また、請求項５記載の本発明は、請求項１〜４のいずれかに記載の紙箱において、該紙箱の外側面ないし内側面のいずれかの面に廃棄方法が表示されていることを特徴とするものである。このように構成することにより、使用者にリサイクルや再資源化意識を喚起することができると共に使用者に設計者等の意図したように分離されるためにリサイクルや再資源化が容易なものとなる。
【００１０】
【発明の実施の形態】
上記の本発明について、図面等を用いて以下に詳述する。
図１は本発明にかかる紙箱の一実施例を示す斜視図、図２は図１の紙箱の展開図、図３は本発明にかかる紙箱から分離した樹脂製シートの一態様を説明する図、図中の１は紙箱、１’はブランク板、２は紙基材、３は生分解性プラスチックシート、２Ａは矩形状底板、２Ｂ，２Ｃは側板、２Ｄは舌片、２Ｅは蓋板、２Ｆは差込片、２Ｇは折込み接合板、２ｇは三角形状折込み板、２０，２１，２２，２３，２４は折罫、３０，Ｓは熱接着部、Ｈは容器本体部、Ｊは蓋部、Ｍは未接着部をそれぞれ示す。
【００１１】
図１は本発明にかかる紙箱の一実施例を示す斜視図であって、紙箱１は容器本体部Ｈと蓋部Ｊとを備えた蓋付ウエッブコーナーボックス（ＷＥＢ　ＣＯＲＮＥＲ　ＢＯＸ）タイプの紙箱である。前記紙箱１は剛性を有する紙基材２の一方の面にパターン状に形成された接着部Ｓを介して生分解性プラスチックシート３を剥離可能に貼合した積層体１０を図２に示す形状に打抜機で型抜きしたブランク板１’を前記生分解性プラスチックシート３が内面側となるように箱状に組み立てたものである。
【００１２】
前記紙箱１は、図２に示すように、矩形状底板２Ａの互いに対向する２組の一対の端辺に折罫２０、２１を介して一対の側板２Ｂ、２Ｂ及び２Ｃ、２Ｃの一方の端辺が連接し、一対の前記側板２Ｂ、２Ｂのそれぞれの他方の端辺に折罫２２、２２を介して舌片２Ｄ、２Ｄが連接すると共に一対の前記側板２Ｃ、２Ｃのいずれかの他方の端辺に折罫２３、２４を順に介して蓋板２Ｅと差込片２Ｆが連接され、さらに隣接する前記側板２Ｂ、２Ｃの側端縁の間に両側端縁に折罫２５、２５を介して連接すると共に折罫２６を介して折り畳み自在に隣接する三角形状折込み板２ｇ、２ｇを有する折込み接合板２Ｇが設けられた前記積層体１０からなるブランク板１’を前記生分解性プラスチックシート３が内面側となるように、まず側板２Ｂ、２Ｃが起函されると共に三角形状折込み板２ｇ、２ｇが折罫２６で山折りされて重ね合わされた折込み接合板２Ｇが前記側板２Ｂ側の折り曲げられて、たとえば、エマルジョン糊やホットメルト接着剤等の周知の接着剤で前記側板２Ｂの外面に接着されものであって、前記生分解性プラスチックシート３は三角形状折込み板２ｇ、２ｇ間に挟まれた状態で固定される。なお、前記ブランク板１’から前記紙箱１の製造は、実際には製函機を用いて行われる。
【００１３】
図１、２において前記紙箱１の前記蓋部Ｊの対向する側端縁の一方の側端縁（図１、２上の右側端縁）に設けた前記接着部Ｓには未接着部Ｍが設けられ、この未接着部Ｍを前記紙基材２と前記生分解性プラスチックシート３を分離する際に前記紙基材２と前記生分解性プラスチックシート３とを手指で摘むための分離開始部となるように構成されている。
【００１４】
このように構成した前記紙箱１は、お弁当やお惣菜等の食品の容器として使用され、使用後には前記未接着部Ｍを分離開始部として手指で前記紙基材２と前記生分解性プラスチックシート３を摘み前記紙基材２と前記生分解性プラスチックシート３を容易に分離することができると共に前記紙基材２はお弁当やお惣菜等の食品の残渣が付着していないので、そのままリサイクルに供することができ、また、お弁当やお惣菜等の食品の残渣が付着した前記生分解性プラスチックシート３は食べ残しも一緒にコンポスト等に再資源化することができる。
【００１５】
また、前記紙箱１の前記生分解性プラスチックシート３を接着性のあるシートを用いることにより、接着剤を用いることなく前記紙基材２と前記生分解性プラスチックシート３とを、たとえば、熱接着等の接着手段により貼合することができるために、紙基材の再生やコンポスト等の再資源化において一層容易な紙箱とすることができると共に前記折込み接合板２Ｇを前記側板２Ｂ側の外面に接着するために押圧する製函機の部位をヒーター内蔵等により加熱可能な部位とすることにより、製函時にこの折込み接合板２Ｇに対応する前記生分解性プラスチックシート３同士を熱接着することができ、前記紙基材２と前記生分解性プラスチックシート３とを分離した際に、図３に示すように前記生分解性プラスチックシート３同士を熱接着した接着部３０により前記生分解性プラスチックシート３の前記容器本体部Ｈ（図１参照）に対応する部分を容器状に保形することができ、お弁当やお惣菜等の食品の残渣や食べ残しを前記生分解性プラスチックシート３から零す危険性をより少なくすることができる。なお、前記接着部３０は熱接着により形成する以外に、後述するような前記接着部Ｓに用いる接着剤を適宜用いて形成してもよいものである。
【００１６】
次に、本発明の紙箱１に用いる材料について説明する。
まず、前記紙基材１としては、剛性を有する紙であれば特に限定するものではなく、たとえば、コートボール紙、ミルクカートン紙、カップ原紙、ダンボール紙、板紙等の厚紙（再生紙を含む）を用いることができ、その坪量としては概ね１００〜５００ｇ／ｍ２が適当である。
【００１７】
また、前記生分解性プラスチックシート３としては、微生物合成（脂肪酸ポリエステル系生分解性プラスチック等）、天然物誘導（でんぷん複合系生分解性プラスチック等）、化学合成（脂肪族ポリエステル系生分解性プラスチック、ポリカプロラクトン系生分解性プラスチック、ポリ乳酸系生分解性プラスチック等）等の製法により製造された生分解性プラスチックシート、たとえば、ポリエチレンサクシネート、ポリブチレンサクシネート、酢酸セルロース、ポリ乳酸、ポリヒドロキシブチレート、ポリラクトカプトン、ポリビニルアルコール等のシートを用いることができるが、耐水性を考慮すると未延伸シートよりも一軸ないし二軸方向に延伸したシートが好ましく、概ね１０〜３０μｍが適当である。
【００１８】
また、前記接着部Ｓは、前記紙基材２と前記生分解性プラスチックシート３とを剥離可能に貼合できる接着剤を用いて形成することができ、これに用いる接着剤としては前記紙基材２と前記生分解性プラスチックシート３と接着できるものであれば特に限定するものではなく、たとえば、でんぷん糊、合成糊、コールドシール剤、粘着剤、ホットメルト接着剤、ウレタン系接着剤等の周知の接着剤を使用することができるが、生分解性を有する接着剤、たとえば、ランディーＣＰ１００〔日本コーンスターチ（株）製：商品名〕等を使用することがより好ましい。また、前記接着部Ｓは、前記生分解性プラスチックシート３を接着性のあるもの、たとえば、ポリ乳酸やポリブチレンサクシネートを用いることにより、パターン状に形成された熱板や熱ロールで加熱圧着することにより形成することができる。
【００１９】
また、前記接着部Ｓは、図１に示したパターンに限るものではなく、本発明の趣旨を逸脱しない範囲の適宜のパターンを採ることができ、また、前記未接着部Ｍの設ける位置についても本発明の趣旨を逸脱しない範囲で適宜に設けることができるものである。また、図１、２に示した紙箱１は、本発明を説明する上で用いた実施形態であってこれに限るものではなく、本発明の紙箱は、たとえば、ウエッブコーナーボックスタイプ（コーナー部を外側に折り畳んだタイプ）、四隅貼りボックスタイプ（コーナー部を内側に折り畳んだタイプ）、紙絞りボックスタイプ（所定形状に型抜きしたブランク板をプレス成形したタイプ）のいずれであってもよく、また、本発明の紙箱は蓋付きであっても蓋なしであっても、さらに、蓋付きの場合は一体的に形成されているものであっても、別体であってもよいものである。
【００２０】
【実施例】
次に、本発明について、以下に実施例を挙げてさらに詳しく説明する。
実施例１
０．５ｍｍ厚さの再生ミルクカートン紙〔（株）パックス製：ミルパックス（商品名）〕に所望の絵柄や文字をフレキソ印刷にて印刷して後に、窓貼り機にて水性エマルジョン糊〔日本コーンスターチ（株）製：ランディーＣＰ１００（商品名）〕を図２に示すパターンとなるようにパターン状に塗布すると共に３０μｍのポリビニルアルコールフィルム〔アイセロ化学製：ドロンＶＡ（商品名）〕を貼合して積層体を作製した。その後に前記積層体を打抜機にて図２に示す形状に型抜きすると共に、製函機にて前記ポリビニルアルコールフィルムが内面側となるように製函して、図１に示す本発明の紙箱を得た。
【００２１】
実施例２
実施例１で用いた３０μｍのポリビニルアルコールフィルム〔アイセロ化学製：ドロンＶＡ（商品名）〕に替えて２５μｍのポリ乳酸フィルム〔三菱樹脂製：エコロージュ（商品名））を用いた以外は、実施例１と同じ方法で作製して図１に示す本発明の紙箱を得た。
【００２２】
上記で作製した実施例１、２の紙箱にカレーライスを入れて喫食した。その後に、実施例１、２の紙箱に設けた未接着部Ｍ（図１参照）を分離開始部として再生ミルクカートン紙からポリビニルアルコールフィルムないしポリ乳酸フィルムを剥離したが、容易に剥離することができ、再生ミルクカートン紙とポリビニルアルコールフィルムないしポリ乳酸フィルムとを簡単に分離することができた。分離した再生ミルクカートン紙は紙としてリサイクルに供することができ、また、ポリビニルアルコールフィルムないしポリ乳酸フィルムはカレーライスの残渣と一緒にコンポスト化することができた。
【００２３】
【発明の効果】
以上縷々説明したように、本発明の紙箱は、お惣菜やお弁当の食品の容器として使用されるが、使用後には紙基材と生分解性プラスチックシートとを容易に分離することができ、紙基材は食品で汚れることもないので、スムーズにリサイクルに供することができ、また、食品で汚れた生分解性プラスチックシートは食品の食べ残りと一緒にコンポスト等に再資源化することできるという優れた効果を奏し、さらにまた、本発明の紙箱は自然界に放置されたり、海や土中に廃棄されたとしても自然界の自浄作用で自然消滅する人間や環境に優しいという効果を奏し、省資源や省エネルギーあるいは環境汚染防止に貢献することができる。
【図面の簡単な説明】
【図１】本発明にかかる紙箱の一実施例を示す斜視図である。
【図２】図１の紙箱の展開図である。
【図３】本発明にかかる紙箱から分離した樹脂製シートの一態様を説明する図である。
【符号の説明】
１　　　　　　　　　　　　　　紙箱
１’　　　　　　　　　　　　　ブランク板
２　　　　　　　　　　　　　　紙基材
３　　　　　　　　　　　　　　生分解性プラスチックシート
２Ａ　　　　　　　　　　　　　矩形状底板
２Ｂ，２Ｃ　　　　　　　　　　側板
２Ｄ　　　　　　　　　　　　　舌片
２Ｅ　　　　　　　　　　　　　蓋板
２Ｆ　　　　　　　　　　　　　差込片
２Ｇ　　　　　　　　　　　　　折込み接合板
２ｇ　　　　　　　　　　　　　三角形状折込み板
２０，２１，２２，２３，２４　折罫
３０，Ｓ　　　　　　　　　　　接着部
Ｈ　　　　　　　　　　　　　　容器本体部
Ｊ　　　　　　　　　　　　　　蓋部
Ｍ　　　　　　　　　　　　　　未接着部
【図１】
2004067192.tif 000003
【図２】
2004067192.tif 000004
【図３】
2004067192.tif 000005